(57)【要約】【課題】  タッチ操作のタッチ領域に複数のオブジェクトが入るような状況でも、容易に一つのオブジェクトを選択状態にすることができるようにする。【解決手段】  タッチ領域検出部１０４は、タッチパネル１０３に対するタッチ操作のタッチ領域を検出する。圧力検出部１０５は、タッチパネル１０３に対するタッチ操作の押下圧を検出する。制御部１０１は、タッチ領域のオブジェクト及びその数を判定する。判定されたオブジェクトが１つの場合、制御部１０１はそのオブジェクトを選択状態にする。判定されたオブジェクトが複数の場合、制御部１０１は、判定されたオブジェクトに圧力レベルを対応つけると共に、表示部１０８での表示形態を互いに異なるものに変更し、圧力検出部１０５で検出される押下圧に対応する圧力レベルを対応付けられるオブジェクトを選択状態にする。【選択図】  図１
2018197898.tif 000002
【特許請求の範囲】
【請求項１】
複数のオブジェクトを表示できる表示手段と、
前記表示手段に表示される前記複数のオブジェクトの１以上を指定するタッチ操作を受け付けるタッチパネルと、
前記タッチ操作の前記タッチパネルに対するタッチ領域を検出するタッチ領域検出手段と、
前記タッチ操作における前記タッチパネルに対する押下圧を検出する圧力検出手段と、
前記タッチ領域のオブジェクトを判定し、判定されたオブジェクトが一つの場合に前記判定されたオブジェクトを選択状態にし、判定されたオブジェクトが複数の場合に、前記圧力検出手段の出力を参照し、前記判定された複数のオブジェクトの内の一つを選択状態にする制御手段
とを有することを特徴とする操作表示装置。
【請求項２】
前記制御手段は、判定されたオブジェクトが複数の場合に、（１）前記判定された複数のオブジェクトを互いに異なる圧力レベルに対応つけると共に前記表示手段での表示形態を互いに異なるものに変更し、（２）前記判定された複数のオブジェクトの内、前記圧力検出手段で検出される前記タッチ操作の前記押下圧に対応する圧力レベルを対応付けられるオブジェクトを選択状態にすることを特徴とする請求項１に記載の操作表示装置。
【請求項３】
前記制御手段は、前記判定された複数のオブジェクトの前記圧力レベルとの対応付けを、前記表示手段の表示並びの順で設定することを特徴とする請求項２に記載の操作表示装置。
【請求項４】
前記制御手段は、前記判定された複数のオブジェクトの表示形態を前記表示手段の表示並び順に変更することを特徴とする請求項３に記載の操作表示装置。
【請求項５】
前記制御手段は、前記判定された複数のオブジェクトの前記圧力レベルとの対応付けを、各オブジェクトに付属する時刻情報に従う順で設定することを特徴とする請求項２に記載の操作表示装置。
【請求項６】
前記制御手段は、前記判定された複数のオブジェクトの表示形態を、各オブジェクトに付属する前記時刻情報に従って変更することを特徴とする請求項５に記載の操作表示装置。
【請求項７】
前記表示形態は、色、明度、彩度、サイズ、スタイル及びこれらの組合せの何れかである請求項２から６のいずれか１項に記載の操作表示装置。
【請求項８】
前記制御手段は、前記タッチ操作のタッチオフから所定時間前の前記押下圧に対応する圧力レベルを対応付けられるオブジェクトを選択状態にすることを特徴とする請求項２に記載の操作表示装置。
【請求項９】
前記圧力検出手段は、前記タッチパネルの前記タッチ操作に伴う出力を前記押下圧または前記圧力レベルを示す値に変換する手段を有することを特徴とする請求項２から８のいずれか１項に記載の操作表示装置。
【請求項１０】
複数のオブジェクトを表示できる表示手段と、前記表示手段に表示される前記複数のオブジェクトの１以上を指定するタッチ操作を受け付けるタッチパネルとを有する操作表示装置を制御する方法であって、
前記タッチ操作の前記タッチパネルに対するタッチ領域を検出するタッチ領域検出ステップと、
前記タッチ領域のオブジェクトを判定する判定ステップと、
前記判定ステップで判定されたオブジェクトが１つの場合、このオブジェクトを選択状態にするステップと、
前記判定ステップで判定されたオブジェクトが複数の場合、前記タッチ操作における前記タッチパネルに対する押下圧に従い、前記判定された複数のオブジェクトの一つを選択状態にするステップ
とを有することを特徴とする操作表示装置の制御方法。
【請求項１１】
複数のオブジェクトを表示できる表示手段と、前記表示手段に表示される前記複数のオブジェクトの１以上を指定するタッチ操作を受け付けるタッチパネルと、前記タッチ操作に従い、前記複数のオブジェクトのいずれかを選択状態に制御する演算手段とを有する操作表示装置において、前記演算手段に、
前記タッチ操作の前記タッチパネルに対するタッチ領域を検出するタッチ領域検出ステップと、
前記タッチ領域のオブジェクトを判定する判定ステップと、
前記判定ステップで判定されたオブジェクトが１つの場合、このオブジェクトを選択状態にするステップと、
前記判定ステップで判定されたオブジェクトが複数の場合、前記タッチ操作における前記タッチパネルに対する押下圧に従い、前記判定された複数のオブジェクトの一つを選択状態にするステップ
とを実行させるための制御プログラム。
【発明の詳細な説明】
【技術分野】
【０００１】
本発明は、スマートフォン等のタッチパネル式デバイスで採用される操作表示装置並びにその制御方法及びプログラムに関する。
【背景技術】
【０００２】
近年、スマートフォン、スマートウォッチ等のタッチパネルを操作手段として用いる機器が広く普及している。これらの機器では、表示装置の画面上にタッチパネルを配置し、画面上に表示されるオブジェクトをユーザが自らの指等で適宜に選択操作することで、種々の指示を機器に入力するようになっている。
【０００３】
操作対象となりうる複数のオブジェクトを画面に同時に表示する場合や、タッチする指に対して選択しようとするオブジェクトのサイズが小さいと、ユーザが意図しないオブジェクトが選択されてしまうことがある。オブジェクトの表示サイズが小さい場合も同様である。すなわち、これらの場合に、ユーザの意図する操作結果を得られにくくなる。
【０００４】
特許文献１には、画面上に同時表示される選択可能なオブジェクトが所定数以下の場合に、各オブジェクトを拡大表示し、各オブジェクトに対するタッチ感応領域も広く設定することで、押し間違いを軽減する技術が記載されている。
【０００５】
特許文献２には、タッチパネルに対する指の接触面からタッチ操作位置を決定する技術が記載されている。
【０００６】
特許文献３には、印加圧検知機能を有するタッチパネルにおいて、圧力レベルを検知する技術が記載されている。
【先行技術文献】
【特許文献】
【０００７】
【特許文献１】特開２００２−０６３６３３号公報
【特許文献２】特開平４−６０７１５号公報
【特許文献３】特開２０１５−１１４０１号公報
【発明の概要】
【発明が解決しようとする課題】
【０００８】
特許文献１に記載される技術では、画面上の選択可能なオブジェクトが所定の数を超えている場合に、オブジェクトを拡大表示することができない。つまり、画面上にオブジェクトを拡大表示できる余白の領域が無い場合には、ユーザの押し間違いを軽減することができない。
【０００９】
本発明は、このような操作ミスを軽減し、容易に一つのオブジェクトを選択状態にすることができる操作表示装置並びにその制御方法及びプログラムを提示することを目的とする。
【課題を解決するための手段】
【００１０】
本発明に係る操作表示装置は、複数のオブジェクトを表示できる表示手段と、前記表示手段に表示される前記複数のオブジェクトの１以上を指定するタッチ操作を受け付けるタッチパネルと、前記タッチ操作の前記タッチパネルに対するタッチ領域を検出するタッチ領域検出手段と、前記タッチ操作における前記タッチパネルに対する押下圧を検出する圧力検出手段と、前記タッチ領域のオブジェクトを判定し、判定されたオブジェクトが一つの場合に前記判定されたオブジェクトを選択状態にし、判定されたオブジェクトが複数の場合に、前記圧力検出手段の出力を参照し、前記判定された複数のオブジェクトの内の一つを選択状態にする制御手段とを有することを特徴とする。
【発明の効果】
【００１１】
本発明によれば、タッチ操作のタッチ領域に複数のオブジェクトが入るような状況でも、容易に一つのオブジェクトを選択状態にすることができる。
【図面の簡単な説明】
【００１２】
【図１】本発明の一実施例の概略構成ブロック図である。
【図２】本実施例の制御部による制御の動作フローチャートである。
【図３】本実施例の画面例と選択可能オブジェクトの例である。
【図４】図３に示す例に対するタッチ領域と圧力レベルの対応付けの例である。
【図５】圧力レベルと表示色の対応例である。
【図６】最終的に選択されたオブジェクトを拡大表示する画面例である。
【図７】タッチ操作の押下圧の時間変化例である。
【図８】制御部の別の制御動作のフローチャートである。
【図９】図８に示す制御の動作説明である。
【図１０】図９に示す例に対するタッチ領域と圧力レベルの対応付けの例である。
【発明を実施するための形態】
【００１３】
以下、図面を参照して、本発明の実施例を詳細に説明する。ただし、発明の範囲は実施形態の説明で図示した例に限定されるものではない。
【実施例１】
【００１４】
図１は、本発明に係る操作表示装置の一実施例を組み込んだ情報処理装置の概略構成ブロック図を示す。
【００１５】
本実施例は、タッチ操作のタッチ領域に複数のオブジェクト（またはアイコン）が含まれてしまうほどに当該複数のオブジェクトが表示されるようなケースで、タッチ操作の押下圧により当該複数のオブジェクトの一つを選択可能にするものである。そのために通常のタッチ操作の押下圧範囲を複数の圧力レベルに範囲区分した場合の各圧力レベルを、タッチ領域に含まれる複数のオブジェクトに対応付け、当該複数のオブジェクトを、対応する圧力レベルに応じた表示形態で表示する。これにより、ユーザはタッチ操作の押下圧を調整することで、タッチ領域に複数のオブジェクトから所望のオブジェクトを指定できるようになる。
【００１６】
１０１は情報処理装置１００の全体を制御する制御部であり、種々のプログラムを実行可能なＣＰＵまたはマイクロプロセッサ等の演算手段からなる。
【００１７】
ストレージ１０７には、制御部１０１で実行されるシステムソフトウエア及びアプリケーションソフトウエアを含む制御プログラムが格納されている。不揮発性メモリからなるストレージ１０７には、制御部１０１で実行される種々のプログラム、具体的には、システムソフトウエア及びアプリケーションソフトウエアが格納されている。ストレージ１０７には、これらのプログラムが利用する、設定データを含む種々のデータも、格納されている。この実施例では、ストレージ１０７には、Ｗｅｂブラウザアプリケーション、写真のビューワアプリケーション及び写真データが格納されている。
【００１８】
制御部１０１は、ストレージ１０７から必要なプログラムをメモリ１０２に読み込み、実行することで、以下に説明する種々の機能を実現する。制御部１０１はまた、メモリ１０２をワークメモリとして利用し、実行中のプログラムのためのデータを一時記憶する。
【００１９】
表示部１０８は、例えば液晶表示装置または有機ＥＬディスプレイのようなフラットパネルディスプレイからなり、制御部１０１により指示されるデータ及び画像を表示する。
【００２０】
表示部１０８の表示画面には、ユーザの指によるタッチ操作と操作座標を出力するタッチパネル１０３が組み込まれている。タッチ領域検出部１０４は、タッチパネル１０３の出力から、ユーザがタッチパネル１０３にタッチ操作したときの指が接触した座標と接触面積を演算する。接触面積の検出には、例えば、特許文献２に記載される技術を利用する。圧力検出部１０５は、ユーザがタッチパネル１０３にタッチ操作したときの押下圧を検出する。圧力の検出には、例えば、特許文献３に記載される技術を利用する。タッチパネル１０３が例えば静電容量式の場合、圧力検出部１０５は、タッチ操作に対してタッチパネル１０３が出力する静電容量値（またはこれを反映した電流電圧値）を押下圧の圧力値に変換する。
【００２１】
通信部１０６は、外部装置またはサーバとの間で種々のデータを送受信するのに使用される。
【００２２】
タッチ領域検出部１０４及び圧力検出部１０５の一部又は全部を、制御部１０１のプログラム演算機能で実現することができる。この場合、例えば、制御部１０１，タッチ領域検出部１０４及び圧力検出部１０５の機能は、単一の演算手段または互いに協調動作する複数の演算手段により実現されうる。
【００２３】
個々のプログラムの機能の詳細は後述するが、ストレージ１０７には、表示部１０８に表示されるオブジェクトを管理するオブジェクト管理プログラムが格納されている。このオブジェクト管理プログラムは、表示されているオブジェクトが配置されている画面上の座標を管理し、各オブジェクトが持つ時刻情報などのメタ情報を管理する。タッチ領域内のオブジェクトを判定し、その数を算出するオブジェクト数算出プログラム、及び、圧力レベルとオブジェクトとを対応付けるプログラムが、ストレージ１０７に格納されている。更には、タッチ操作の押下圧（または圧力レベル）に応じてオブジェクトを選択するプログラムも、ストレージ１０７に格納されている。制御部１０１は、これらのプログラムを実行することで、オブジェクト数算出手段、圧力レベル対応付け手段及び圧力選択手段として機能する。
【００２４】
図２は、本実施例の処理手順のメインフローを示す。ここでは、制御部１０１は、ストレージ１０７に格納されるＷｅｂアプリケーションを実行する場合を例に、その動作を説明する。制御部１０１は、Ｗｅｂアプリケーションが表示部１０８に表示する複数のメニュー（オブジェクト）からユーザが選択したメニューに応じたデータを通信部１０６により外部サーバから読み込み、表示部１０８に表示する。
【００２５】
まず、制御部１０１（Ｗｅｂアプリケーション）は、図３（ａ）に示すようなニュース一覧のメニュー画面を表示部１０８に表示する。図３（ｂ）は、図３（ａ）に示すニュース一覧において選択可能なオブジェクトを示す。
【００２６】
Ｓ２０１で、制御部１０１は、タッチパネル１０３に対するユーザによるタッチ操作を待機する。制御部１０１は、タッチ操作を検出すると、Ｓ２０２に進む。
【００２７】
Ｓ２０２で、制御部１０１は、ユーザの指がタッチパネル１０３に接触している領域（タッチ領域）をタッチ領域検出部１０４に算出させ、算出結果を取得する。Ｓ２０３で、制御部１０１のオブジェクト数算出手段は、タッチ領域検出部１０４から検出・算出されたタッチ領域内に、図３（ｂ）に示す各選択可能オブジェクトの座標があるかどうかを検出する。図４（ａ）に示す画面例で丸図形の範囲がタッチ領域であり、選択可能オブジェクトのうちで、「スポーツニュース」、「芸能ニュース」及び「速報ニュース」が含まれる。この場合、制御部１０１（オブジェクト数算出手段）は、これら３つのオブジェクトを特定し、オブジェクト数として３を出力する。
【００２８】
Ｓ２０４で、制御部１０１は、Ｓ２０３で検出されたオブジェクト数がゼロかどうかを判定する。制御部１０１は、ゼロの場合、図２に示す処理を終了し、ゼロでない場合、Ｓ２０５に進む。図４（ａ）に示す例では、制御部１０１はＳ２０５に進む。
【００２９】
Ｓ２０５で、制御部１０１は、Ｓ２０３で検出されたオブジェクト数が２以上かどうかを判定する。検出されたオブジェクト数が１の場合、制御部１０１は、Ｓ２１０で、Ｓ２０３で検出されたオブジェクトを選択して、図２に示す処理を終了する。Ｓ２０３で検出されたオブジェクト数が２以上の場合、検出されていれば、Ｓ２０６に進む。本実施例では、Ｓ２０３でオブジェクトが３つ検出されたので、制御部１０１は、Ｓ２０６に進む。
【００３０】
Ｓ２０６で、制御部１０１の圧力レベル対応付け手段は、Ｓ２０３で検出された各オブジェクトと圧力レベルとを対応付ける。ここでの圧力レベルは、タッチ領域内でユーザの意図する操作対象であろう１つのオブジェクトを、タッチ操作の押下圧に従い最終決定するための押下圧閾値レベルまたは閾値範囲を示す。圧力レベルは、検出されたオブジェクト数に応じて設定される。本実施例では、検出されたオブジェクトが３つなので、各オブジェクトに対して圧力レベル１〜３のいずれか異なるレベルを割り当てる。
【００３１】
また、圧力レベル対応付け手段は、オブジェクトと圧力レベルとの対応付けをオブジェクトの配置順序によって決定する。例えば、オブジェクトが縦方向に並んでいる場合、圧力レベル対応付け手段は、一番上のオブジェクトに最も低い圧力レベル１を割り当て、下のオブジェクトには順により高い圧力レベル２，３を割り当てる。また、オブジェクトが横方向に並ぶ場合、左のオブジェクトから右に向かって順に、より高い圧力レベルを割り当てる。図４（ａ）に示す例に対する３つのオブジェクトへの圧力レベルの割り当て例を図４（ｂ）に示す。
【００３２】
Ｓ２０７で、制御部１０１は、各オブジェクトの表示形態（色、明度、彩度、サイズ、スタイルまたはこれらの組合せ）を、割り付けた圧力レベルに応じて制御する。例えば、制御部１０１は、圧力レベルに応じてオブジェクトの色の濃さを変化させる。割り当てられた圧力レベルが高いほどオブジェクトの色を濃くする。図５は、圧力レベルと色の対応関係例を示す。色の濃さ以外の表示形態を圧力レベルに応じて変更しても良いことは明らかである。もちろん、ユーザには、色の濃さとタッチ操作の押下圧の大きさとの関係を予め知らせてあるものとする。すなわち、ユーザは、タッチ領域で検出される複数のオブジェクトの発色の濃さの相違により、目的の１つのオブジェクトを選択するための押下圧の程度を意識でき、そのような押下圧とすることで目的のオブジェクトを選択できる。
【００３３】
Ｓ２０８で、制御部１０１は、タッチ操作の押下圧値を圧力検出部１０５により検出させる。圧力検出部１０５は、検出した押下圧値を制御部１０１に通知する。
【００３４】
Ｓ２０９で、制御部１０１は、圧力検出部１０５で検出された圧力値を圧力レベルに含むオブジェクトを選択状態にする。例えば、押下圧値が圧力レベル１にある場合、制御部は、「スポーツニュース」の表示を選択状態にする。ただし、最終決定前の選択状態、すなわち仮選択状態であり、ユーザはタッチ操作の押下圧を調整することで、仮選択状態のオブジェクトを変更できる。タッチ位置の変更でないので、隣接するオブジェクト間で仮選択状態のオブジェクトの変更も容易になる。この仮選択状態では、制御部１０１は、例えば、図６に例示するように、選択中のオブジェクトを太字の表示に切り替える。もちろん、ユーザに選択状態であることが分かり安い目立つ表示となる別の表示形態を採用しても良い。
【００３５】
ユーザはタッチパネル１０３のパネル面から指を離すこと（タッチオフ）で、タッチ操作による選択を終了する。ただし、制御部１０１は、タッチ操作の終了（タッチオフ）の所定時間前の押下圧値に対応する圧力レベルのオブジェクトを選択オブジェクトとして最終決定する。
【００３６】
具体的には、制御部１０１は、タッチ操作の終了（タッチオフ）まで、圧力検出部１０５で検出される押下圧値を１ｍｓｅｃ単位でメモリ１０２に順次記憶する。制御部１０１は、圧力検出部１０５から通知される圧力値が０になったら、メモリ１０２から所定時間前の圧力値を読み出し、読み出した圧力値に対応する圧力レベルのオブジェクトを選択オブジェクトとして最終決定する。所定時間は例えば、５０ｍｓｅｃであるが、ユーザの好みに応じて変更可能にしても良い。図７は、タッチ操作の押下圧の時間変化例を示す。図７に示す例では、タッチ操作終了（押下圧＝０）の５０ｍｓｅｃ前には押下圧が圧力レベル３に相当するので、制御部１０１は、圧力レベル３に対応する「速報ニュース」を選択オブジェクトとして最終決定する。
【００３７】
このように、本実施例では、タッチ操作のタッチ領域に複数のオブジェクトが含まれる場合に、各オブジェクトを互いに異なる表示形態で表示し、ユーザはタッチ操作の押下圧を調整することで、所望の１つのオブジェクトを選択できる。タッチ領域の複数のオブジェクトから１つを選択するのにタッチ操作位置を変更する必要がないので、これら複数のオブジェクトが隣接している場合でも、選択が容易になる。換言すると、指の腹相当の面積に複数のオブジェクトを画面上に配置したとしても、容易に所望のオブジェクトを選択できることになる。
【００３８】
タッチ操作の終了（タッチオフ）より所定時間前のタッチ操作の押下圧に応じた仮選択状態のオブジェクトを選択オブジェクトとして最終決定するので、押下圧の調整によるオブジェクトの選択を有効に活かすことができる。
【実施例２】
【００３９】
写真ビューワーアプリケーションを使って、保存済みの写真を閲覧する場合に適用する動作を説明する。写真画像には撮影日時などの時刻情報が付属する。本実施例では、タッチ領域に含まれる複数のオブジェクト（写真のサムネール画像）に圧力レベルを対応付ける際に、この時刻情報を参照する。
【００４０】
制御部１０１は、ストレージ１０７に格納されている写真ビューワーアプリケーションを実行し、ストレージ１０７に格納されている画像データのサムネイル画像を一定数単位で表示部１０８に表示する。ユーザが、サムネイル画像を選択し再生を指示すると、制御部１０１は、対応する写真を表示部１０８の画面に拡大表示する。写真ビューワーアプリケーションは、このような機能を実現するプログラムである。
【００４１】
図８は、本実施例の処理手順のフローチャートを示す。図２のステップＳ２０６をＳ８０６に変更する。Ｓ８０６では、制御部１０１は、タッチ領域のオブジェクトと圧力レベルとの対応付けを、オブジェクトが持つ時刻情報に基づいて決定する。図８において、ステップＳ２０１〜Ｓ２０５，Ｓ２０７〜Ｓ２１０の処理は、上述した説明と同じであるので、説明を省略する。
【００４２】
図９（ａ）は写真ビューワーアプリケーションの一覧表示例を示し、図９（ｂ９は、一覧表示される写真の撮影日時データ例を示す。図９（ａ）にサムネイル画像を表示する写真画像データがストレージ１０７に格納され、各写真画像データは、図９（ｂ）に示す撮影日時データがＥｘｉｆの属性情報として含む。
【００４３】
図１０（ａ）は、図９（ａ）に示す一覧表示に対するタッチ操作のタッチ領域を示す。サムネイルのサイズが小さいことから、タッチ領域は、一度に４つのサムネイル画像（写真４，５，７，８）に重なっている。
【００４４】
Ｓ８０６で、制御部１０１は、Ｓ２０３で検出された複数のオブジェクトと圧力レベルをオブジェクトの時刻情報に基づいて対応付ける。具体的には、制御部１０１は、検出された各オブジェクトのＥｘｉｆデータから撮影日時情報を取得し、取得した撮影日が古い順に圧力レベルを対応付ける。図１０に示す例では、撮影日の古い順では、写真４、写真５、写真７、写真８の順となるので、制御部１０１は、写真４から順に圧力レベルを割り当てる。図１０（ｂ）は、各オブジェクト（写真４，５，７，８）と圧力レベルの対応関係を示す。
【００４５】
写真に対応つける圧力レベルを撮影日順とすることで、ユーザはタッチ操作の押下圧の調整により撮影日を目安として希望の写真（のサムネイル）を選択できることになり、直感的な操作を実現できる。
【００４６】
上記説明において、制御部１０１による制御は１つのハードウェアが行ってもよいし、複数のハードウェアが処理を分担することで、装置全体の制御を行ってもよい。
【００４７】
本発明を携帯端末に適用した場合を例にして説明したが、本発明はこの例に限定されず、タッチパネルに対する操作により何らかの処理を実行する情報処理装置一般に適用可能である。すなわち、本発明は、撮像装置、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００４８】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４９】
本発明の目的は、前述した実施例の機能を実現するソフトウェアのプログラムコードを記録した記憶媒体を装置に供給することによっても、達成される。このとき、供給された装置の制御部を含むコンピュータ（またはＣＰＵやＭＰＵ）は、記憶媒体に格納されたプログラムコードを読み出し実行する。記憶媒体から読み出されたプログラムコード自体が、上述の実施例の機能を実現することになり、プログラムコード自体及びそのプログラムコードを記憶した記憶媒体は、本発明を構成することになる。
【００５０】
プログラムコードを供給するための記憶媒体としては、例えば、磁気ディスク、ハードディスク、光ディスク、光磁気ディスク、ＣＤ−ＲＯＭ、ＣＤ−Ｒ、磁気テープ、不揮発性のメモリカード又はＲＯＭ等を用いることができる。
【００５１】
上述のプログラムコードの指示に基づき、装置上で稼動しているＯＳ（基本システムやオペレーティングシステム）などが処理の一部又は全部を行い、その処理によって前述した実施例の機能が実現される場合も含まれる。
【００５２】
さらに、記憶媒体から読み出されたプログラムコードが、装置に挿入された機能拡張ボードやコンピュータに接続された機能拡張ユニットに備わるメモリに書き込まれ、前述した実施形態の機能が実現される場合も含まれる。このとき、そのプログラムコードの指示に基づき、その機能拡張ボードや機能拡張ユニットに備わるＣＰＵ等が実際の処理の一部又は全部を行う。
【００５３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【図１】
2018197898.tif 000003
【図２】
2018197898.tif 000004
【図３】
2018197898.tif 000005
【図４】
2018197898.tif 000006
【図５】
2018197898.tif 000007
【図６】
2018197898.tif 000008
【図７】
2018197898.tif 000009
【図８】
2018197898.tif 000010
【図９】
2018197898.tif 000011
【図１０】
2018197898.tif 000012